(57)【要約】  ソース機器に適切な音声フォーマット情報を取得させることができるシンク機器を提供する。シンク機器は、ソース機器と双方向通信可能に接続される。シンク機器は、第一メモリと、制御部と、を備える。第一メモリは、シンク機器が処理可能な音声フォーマットを示す情報を含む複数の音声フォーマット情報を記憶している。制御部は、第一メモリに記憶されている複数の音声フォーマット情報の中から、シンク機器に接続されたレシーバ機器が処理可能な音声フォーマットを示すレシーバフォーマット情報に対応する１つの音声フォーマット情報を選択する。そして、制御部は、選択した音声フォーマット情報をソース機器に出力する。
2016136257.tif 000002
【特許請求の範囲】
【請求項１】
ソース機器と双方向通信可能に接続されたシンク機器であって、
前記シンク機器が処理可能な音声フォーマットを示す情報を含む複数の音声フォーマット情報を記憶している第一メモリと、
前記第一メモリに記憶されている前記複数の音声フォーマット情報の中から、前記シンク機器に接続されたレシーバ機器が処理可能な音声フォーマットを示すレシーバフォーマット情報に対応する１つの音声フォーマット情報を選択し、選択した前記音声フォーマット情報を前記ソース機器に出力する制御部と、を備える、
シンク機器。
【請求項２】
前記制御部は、
前記レシーバ機器に、前記レシーバフォーマット情報の送信を要求し、
前記レシーバ機器から前記レシーバフォーマット情報を取得した場合、前記複数の音声フォーマット情報の中から、取得した前記レシーバフォーマット情報に対応する音声フォーマット情報を選択する第一の選択を行う、
請求項１に記載のシンク機器。
【請求項３】
前記複数の音声フォーマット情報のそれぞれに対応している複数の対応情報のうちの１つの対応情報をユーザが選択可能な画面を表示する表示部と、
前記表示部に表示された前記複数の対応情報のうちの１つの対応情報が選択されたことを示す入力を受け付ける受付部と、をさらに備え、
前記制御部は、
前記レシーバ機器から前記レシーバフォーマット情報を取得しなかった場合、前記複数の音声フォーマット情報の中から、前記入力により示される１つの対応情報に対応する音声フォーマット情報を選択する第二の選択を行う、
請求項２に記載のシンク機器。
【請求項４】
前記複数の音声フォーマット情報のそれぞれに対応している複数の対応情報のうちの１つの対応情報をユーザが選択可能な画面を表示する表示部と、
前記表示部に表示された前記複数の対応情報のうちの１つの対応情報が選択されたことを示す入力を受け付ける受付部と、をさらに備え、
前記制御部は、前記複数の音声フォーマット情報の中から、前記入力により示される１つの対応情報に対応する音声フォーマット情報を選択する第二の選択を行う、
請求項１に記載のシンク機器。
【請求項５】
前記制御部により選択された前記音声フォーマット情報を記憶する第二メモリをさらに備え、
前記制御部は、
前記ソース機器から、前記ソース機器が出力すべき音声フォーマットを示す音声フォーマット情報の取得要求を受信した場合、前記第二メモリに記憶されている前記音声フォーマット情報を前記ソース機器に出力する、
請求項１に記載のシンク機器。
【発明の詳細な説明】
【技術分野】
【０００１】
本開示は、ソース機器およびレシーバ機器と通信可能に接続されるシンク機器に関する。
【背景技術】
【０００２】
特許文献１は、テレビジョン受像機（以下、「シンク機器」という）を開示する。このシンク機器は、ＡＶ（Ａｕｄｉｏ  Ｖｉｓｕａｌ）アンプリファイア（以下、「レシーバ機器」という）がＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標  以下同様）によりシンク機器に接続されている場合に、シンク機器のＥＤＩＤ（Ｅｘｔｅｎｄｅｄ  ｄｉｓｐｌａｙ  ｉｄｅｎｔｉｆｉｃａｔｉｏｎ  ｄａｔａ）を、レシーバ機器によって出力可能な音声に対応するＥＤＩＤに書き換えることができる。これにより、例えば、レシーバ機器による出力音声が、シンク機器による出力音声よりも高音質である場合等に、シンク機器は、レシーバ機器から音声を出力することができる。
【先行技術文献】
【特許文献】
【０００３】
【特許文献１】特開２０１２−１６５１３１号公報
【発明の概要】
【０００４】
従来技術では、レシーバ機器がＲｅｑｕｅｓｔ  ｓｈｏｒｔ  ａｕｄｉｏ  ｄｅｓｃｒｉｐｔｏｒというＨＤＭＩ  ＣＥＣ（ＨＤＭＩ  Ｃｏｎｓｕｍｅｒ  Ｅｌｅｃｔｒｏｎｉｃｓ  Ｃｏｎｔｒｏｌ）のコマンドに対応していない機器である場合、シンク機器が、適切なＥＤＩＤ等の音声フォーマット情報を、音声信号の出力元であるソース機器に取得させることは困難である。つまり、レシーバ機器が、レシーバ機器で対応している音声フォーマット情報の送信要求（レシーバ機器からシンク機器へ送信する要求）をシンク機器から受信しても、当該要求に応じた音声フォーマット情報をシンク機器に送信する機能を有していない場合、シンク機器は、レシーバ機器から適切な音声フォーマット情報を取得することは困難である。そのため、シンク機器が適切な音声フォーマット情報をソース機器に取得させることは困難である。
【０００５】
本開示は、ソース機器に、適切な音声フォーマット情報を取得させることができるシンク機器を提供する。
【０００６】
本開示におけるシンク機器は、ソース機器と双方向通信可能に接続されたシンク機器である。シンク機器は、第一メモリと、制御部と、を備える。第一メモリは、シンク機器が処理可能な音声フォーマットを示す情報を含む複数の音声フォーマット情報を記憶している。制御部は、第一メモリに記憶されている複数の音声フォーマット情報の中から、シンク機器に接続されたレシーバ機器が処理可能な音声フォーマットを示すレシーバフォーマット情報に対応する１つの音声フォーマット情報を選択し、選択した音声フォーマット情報をソース機器に出力する。
【０００７】
本開示におけるシンク機器は、ソース機器に、適切なＥＤＩＤを取得させることができる。
【図面の簡単な説明】
【０００８】
【図１】図１は、実施の形態１におけるＡＶシステムの外観の一例を模式的に示す図である。
【図２】図２は、実施の形態１におけるＡＶシステムの一構成例を模式的に示すブロック図である。
【図３】図３は、音声フォーマット情報の一例を模式的に示す図である。
【図４】図４は、実施の形態１におけるシンク機器の一構成例を模式的に示すブロック図である。
【図５】図５は、実施の形態１におけるシンク機器の一動作例を示すフローチャートである。
【図６】図６は、実施の形態１におけるシンク機器で実行される選択処理の一動作例を示すフローチャートである。
【図７】図７は、実施の形態１におけるシンク機器で表示されるＵＩ（Ｕｓｅｒ  Ｉｎｔｅｒｆａｃｅ）画面の一例を模式的に示す図である。
【図８】図８は、実施の形態１の変形例におけるシンク機器で表示されるＵＩ（Ｕｓｅｒ  Ｉｎｔｅｒｆａｃｅ）画面の一例を模式的に示す図である。
【発明を実施するための形態】
【０００９】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００１０】
なお、添付図面および以下の説明は、当業者が本開示を十分に理解するために提供されるのであって、これらにより特許請求の範囲に記載の主題を限定することは意図されていない。
【００１１】
また、各図は、模式図であり、必ずしも厳密に図示されたものではない。また、各図において、実質的に同一の構成要素に対しては同一の符号を付しており、重複する説明は省略または簡略化される場合がある。
【００１２】
（実施の形態１）
以下、図１〜図７を用いて、実施の形態１を説明する。
【００１３】
［１−１．構成］
図１は、実施の形態１におけるＡＶシステム１の外観の一例を模式的に示す図である。
【００１４】
図２は、実施の形態１におけるＡＶシステム１の一構成例を模式的に示すブロック図である。
【００１５】
図１および図２に示すように、ＡＶシステム１は、シンク機器１００、ソース機器２００、レシーバ機器３００、およびスピーカ４００を備えて構成される。
【００１６】
なお、ソース機器２００は、例えば、光ディスクや磁気ディスク、または半導体メモリ等の記録媒体、または通信ネットワーク、または放送信号、等から取得した音声信号（音声データ）または映像信号（映像データ）またはそれらの双方を、複数のフォーマットのうちの１つのフォーマットで出力することができる機器である。ソース機器２００は、シンク機器１００から取得したフォーマット情報に基づくフォーマットで、音声信号または映像信号またはそれらの双方を出力できる機能を有する。ソース機器２００は、例えば音楽再生機またはハードディスクレコーダ等であるが、他の機器であってもよい。
【００１７】
シンク機器１００とソース機器２００とはＨＤＭＩケーブル５０１により互いに接続されており、シンク機器１００とレシーバ機器３００とはＨＤＭＩケーブル５０２により互いに接続されている。また、レシーバ機器３００とスピーカ４００とはスピーカケーブル５０３により接続されており、レシーバ機器３００は、入力された音声をスピーカ４００から出力することが可能である。
【００１８】
シンク機器１００は、図２に示すように、制御部１１０と、メモリ１２０と、を備える。また、シンク機器１００は、さらに、表示部１６０と、受付部１８０と、を備えていてもよい。シンク機器１００は、例えば、テレビジョン受像機や、音声を出力するスピーカを有するモニタ等により実現される。
【００１９】
制御部１１０は、メモリ１２０に記憶されている後述する複数の音声フォーマット情報の中から、レシーバフォーマット情報に対応する１つの音声フォーマット情報を選択することができる。なお、レシーバフォーマット情報とは、シンク機器１００に接続されたレシーバ機器３００が処理可能な音声フォーマットを示す情報のことである。そして、制御部１１０は、選択した音声フォーマット情報を、ＨＤＭＩケーブル５０１を通して出力しソース機器２００に取得させることができる。
【００２０】
また、制御部１１０は、レシーバ機器３００に、レシーバフォーマット情報の送信を要求することができる。
【００２１】
制御部１１０は、レシーバフォーマット情報の送信（レシーバ機器３００からシンク機器１００への送信）をレシーバ機器３００に要求して、レシーバ機器３００からレシーバフォーマット情報を取得した後に、第一の選択を行ってもよい。第一の選択とは、メモリ１２０に記憶されている複数の音声フォーマット情報の中から、取得されたレシーバフォーマット情報に対応する音声フォーマット情報を選択する動作のことである。
【００２２】
また、制御部１１０は、レシーバ機器３００からレシーバフォーマット情報を取得できない場合、第二の選択を行ってもよい。第二の選択とは、メモリ１２０に記憶されている複数の音声フォーマット情報の中から、後述する受付部１８０で受け付けられたユーザ入力によって選択された１つの対応情報に対応する音声フォーマット情報を選択する動作のことである。なお、本実施の形態では、レシーバ機器３００から取得された音声フォーマット情報だけでなく、ユーザ入力によって選択された音声フォーマット情報をレシーバフォーマット情報に含めてもよい。
【００２３】
また、制御部１１０は、ソース機器２００から、ソース機器２００が出力すべき音声フォーマットを示す音声フォーマット情報の取得要求（ソース機器２００がシンク機器１００から取得する要求）を受信したときに、第二メモリに記憶されている音声フォーマット情報を、ＨＤＭＩケーブル５０１を通して出力しソース機器２００に取得させることができる。
【００２４】
なお、制御部１１０は、例えば、プロセッサ、プログラムが記憶されているメモリ、等により実現される。
【００２５】
メモリ１２０は、シンク機器１００が処理可能な音声フォーマットを示す情報を含む複数の音声フォーマット情報（音声フォーマットリスト１２１）を記憶している。メモリ１２０は、第一メモリの一例である。また、メモリ１２０は、制御部１１０により選択された音声フォーマット情報を記憶する第二メモリの一例であってもよい。メモリ１２０は、例えば、不揮発性メモリ、等により実現される。
【００２６】
なお、シンク機器１００が処理可能な音声フォーマットとは、シンク機器１００が復号することができる音声フォーマットのことである。レシーバ機器３００が処理可能な音声フォーマットとは、レシーバ機器３００が復号することができる音声フォーマットのことである。
【００２７】
ここで、メモリ１２０に記憶されている音声フォーマットリスト１２１内の複数の音声フォーマット情報について、図３を用いて説明する。
【００２８】
図３は、音声フォーマット情報の一例を模式的に示す図である。
【００２９】
図３に示すように、音声フォーマット情報には、シンク機器１００が処理可能な音声フォーマットを示す情報であるＥＤＩＤ（ＰＣＭ（ｐｕｌｓｅ  ｃｏｄｅ  ｍｏｄｕｌａｔｉｏｎ）の音声フォーマットの設定値を示すＥＤＩＤ）、ＰＣＭ＆ＤＤ（Ｄｏｌｂｙ  Ｄｉｇｉｔａｌ）（登録商標）の音声フォーマットの設定値を示すＥＤＩＤ、ＰＣＭ＆ＤＤ＆ＤＤ＋の音声フォーマットの設定値を示すＥＤＩＤ、および、ＰＣＭ＆ＤＤ＆Ａｔｍｏｓ（Ｄｏｌｂｙ  Ａｔｍｏｓ（登録商標））の音声フォーマットの設定値を示すＥＤＩＤ、が含まれる。なお、これらの音声フォーマット情報は、メモリ１２０に記憶されている音声フォーマット情報の一例であり、本開示は何らこれらに限定されない。
【００３０】
本実施の形態において、音声フォーマット情報としてメモリ１２０に記憶されているＥＤＩＤは、音声フォーマットを示す情報である。また、各ＥＤＩＤの設定値には、音声出力チャネル数、サンプリング周波数、量子化ビット数、等が含まれている（図示せず）。
【００３１】
図２に戻って説明を続ける。
【００３２】
表示部１６０は、メモリ１２０に記憶されている複数の音声フォーマット情報のそれぞれに対応している複数の対応情報のうちの１つの対応情報をユーザが選択可能な画面を表示する。この表示画面の例は後述する。複数の対応情報とは、例えば、複数の選択肢であり、当該選択肢をユーザが選択可能なプルダウンメニューや選択メニュー、等である。表示部１６０は、例えば、プロセッサ、プログラムが記憶されているメモリ、ディスプレイ、等により実現される。ディスプレイは、例えば、液晶ディスプレイ、有機ＥＬ（Ｅｌｅｃｔｒｏ  Ｌｕｍｉｎｅｓｃｅｎｃｅ）ディスプレイ、等である。
【００３３】
受付部１８０は、表示部１６０に表示された複数の対応情報のうちの１つの対応情報がユーザに選択されたことを示す入力（ユーザ入力）を受け付ける。受付部１８０は、例えば、リモートコントロール装置（以下、「リモコン」と略記する。図示せず）からの赤外線信号による入力信号を受信可能な受光モジュール、等により実現される。
【００３４】
図４は、実施の形態１におけるシンク機器１００の一構成例を模式的に示すブロック図である。
【００３５】
図４に示すように、シンク機器１００は、マイコン部１１１、ＣＥＣ処理部１１２、ＥＤＩＤ制御部１１３、メモリ１２０、ＨＤＭＩレシーバ１３０、映像処理部１４０、音声処理部１５０、表示部１６０、スピーカ１７０、受付部１８０、ＨＤＭＩ端子１９１、１９２、およびＳＰＤＩＦ（Ｓｏｎｙ  Ｐｈｉｌｉｐｓ  Ｄｉｇｉｔａｌ  ＩｎｔｅｒＦａｃｅ）端子１９３、を備える。
【００３６】
マイコン部１１１は、ＨＤＭＩレシーバ１３０または受付部１８０により受け付けられた制御信号に応じて、ＣＥＣ処理部１１２、ＥＤＩＤ制御部１１３、メモリ１２０、ＨＤＭＩレシーバ１３０、映像処理部１４０、および音声処理部１５０を制御するプロセッサである。マイコン部１１１は、ＣＥＣ処理部１１２、ＥＤＩＤ制御部１１３、メモリ１２０、ＨＤＭＩレシーバ１３０、映像処理部１４０、および音声処理部１５０と、制御線により双方向通信可能に接続されている。また、マイコン部１１１は、受付部１８０と制御線により接続されており、ＨＤＭＩレシーバ１３０および受付部１８０からの制御信号を受信可能である。
【００３７】
また、図４に示す構成例では、ソース機器２００は、ＨＤＭＩケーブル５０１を介してＨＤＭＩ端子１９１に接続され、レシーバ機器３００は、ＨＤＭＩケーブル５０２を介してＨＤＭＩ端子１９２に接続されている。ＨＤＭＩケーブル５０１、５０２の各ＨＤＭＩ信号線には、図４の破線内に示すように、ＣＥＣライン、ＤＤＣ（Ｄｉｓｐｌａｙ  Ｄａｔａ  Ｃｈａｎｎｅｌ）ライン、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ライン、が含まれる。また、ＨＤＭＩ端子１９２はＡＲＣ（Ａｕｄｉｏ  Ｒｅｔｕｒｎ  Ｃｈａｎｎｅｌ）に対応している。
【００３８】
ＣＥＣ処理部１１２は、ＨＤＭＩ端子１９１に接続されたソース機器２００またはＨＤＭＩ端子１９２に接続されたレシーバ機器３００との間で、双方向通信を行う。ＣＥＣ処理部１１２は、ソース機器２００またはレシーバ機器３００から、制御コマンドであるＣＥＣコマンドを受信し、受信したＣＥＣコマンドを解析し、解析した結果をマイコン部１１１に伝える。こうして、ＣＥＣ処理部１１２は、受信したＣＥＣコマンドに対応する処理をマイコン部１１１に実行させることができる。ＣＥＣ処理部１１２は、図４に破線で示すように、ＨＤＭＩ端子１９１に接続されたソース機器２００およびＨＤＭＩ端子１９２に接続されたレシーバ機器３００のそれぞれと、ＨＤＭＩ信号線のＣＥＣラインで接続されている。ＣＥＣ処理部１１２は、例えば、プロセッサ、メモリ、等により実現される。
【００３９】
ＥＤＩＤ制御部１１３は、ＨＤＭＩ端子１９１に接続されたソース機器２００またはＨＤＭＩ端子１９２に接続されたレシーバ機器３００との間で、双方向通信を行う。ＥＤＩＤ制御部１１３は、ソース機器２００のＥＤＩＤまたはレシーバ機器３００のＥＤＩＤを取得したり、シンク機器１００のＥＤＩＤをソース機器２００またはレシーバ機器３００に送信したりする。ＥＤＩＤ制御部１１３は、メモリ１２０に記憶されている音声フォーマットリスト１２１の中からマイコン部１１１により選択された１つの音声フォーマット情報により示されるＥＤＩＤの設定値を、図示しないメモリ（ＥＤＩＤ  ＲＯＭ（Ｒｅａｄ  Ｏｎｌｙ  Ｍｅｍｏｒｙ））に記憶させておく。そして、ＥＤＩＤ制御部１１３は、ソース機器２００から、シンク機器１００のＥＤＩＤの取得要求（ソース機器２００がシンク機器１００から取得する要求）を受信した場合に、ＥＤＩＤ  ＲＯＭに記憶させておいたＥＤＩＤの設定値を、ソース機器２００に送信する。このとき、ＥＤＩＤ  ＲＯＭは第二メモリの一例である。ＥＤＩＤ制御部１１３は、図４に実線で示すように、ＨＤＭＩ端子１９１に接続されたソース機器２００およびＨＤＭＩ端子１９２に接続されたレシーバ機器３００のそれぞれと、ＨＤＭＩ信号線のＤＤＣラインで接続されている。ＥＤＩＤ制御部１１３は、例えば、プロセッサ、メモリ、等により実現される。なお、シンク機器１００において、ＥＤＩＤ  ＲＯＭは、メモリ１２０と別体で設けられてもよく、あるいはメモリ１２０の一部がＥＤＩＤ  ＲＯＭとして動作してもよい。メモリ１２０の一部がＥＤＩＤ  ＲＯＭである場合、メモリ１２０は第二メモリの一例である。
【００４０】
なお、図２で説明した制御部１１０は、マイコン部１１１、ＣＥＣ処理部１１２、およびＥＤＩＤ制御部１１３を含んで構成される。
【００４１】
メモリ１２０は、マイコン部１１１と通信可能に接続されている。
【００４２】
ＨＤＭＩレシーバ１３０は、ＨＤＭＩ端子１９１に接続されたソース機器２００またはＨＤＭＩ端子１９２に接続されたレシーバ機器３００から送信される映像信号、音声信号、映像信号および音声信号を復号するための制御信号、等を、一方向通信により受信する。ＨＤＭＩレシーバ１３０は、図４に一点鎖線で示すように、ＨＤＭＩ端子１９１に接続されたソース機器２００およびＨＤＭＩ端子１９２に接続されたレシーバ機器３００のそれぞれと、ＨＤＭＩ信号線のＴＭＤＳラインで接続されている。また、ＨＤＭＩレシーバ１３０は、受信した映像信号を映像処理部１４０に出力し、受信した音声信号を音声処理部１５０に出力し、受信した制御信号をマイコン部１１１に出力する。また、ＨＤＭＩレシーバ１３０は、受信した音声信号を、ＡＲＣに対応しているＨＤＭＩ端子１９２に出力することもできる。なお、ＡＲＣを用いて出力される音声信号は、ＨＤＭＩレシーバ１３０がソース機器２００から受信した音声信号だけでなく、シンク機器１００で生成された音声信号であってもよい。レシーバ機器３００がＡＲＣに対応していれば、レシーバ機器３００は、ソース機器２００から送信された音声信号を、ＨＤＭＩ端子１９２を介して受信することができる。
【００４３】
映像処理部１４０は、ＨＤＭＩレシーバ１３０から受信した映像信号を復号して、復号した結果である映像を表示部１６０に出力させる処理部である。
【００４４】
音声処理部１５０は、ＨＤＭＩレシーバ１３０から受信した音声信号を復号して、復号した結果である音声をスピーカ１７０に出力させる処理部である。また、音声処理部１５０は、チューナ（図示せず）で受信した放送信号から抽出された音声信号を、ＡＲＣに対応しているＨＤＭＩ端子１９２にＰＣＭの音声フォーマットで出力したり、ＨＤＭＩレシーバ１３０から受信した音声信号を復号せずにそのままのフォーマットでＡＲＣを用いてＨＤＭＩ端子１９２に出力したりすることもできる。
【００４５】
なお、図４には、音声処理部１５０からＨＤＭＩ端子１９２へ直接音声信号が出力される構成例を示しているが、本実施の形態は何らこの構成に限定されない。音声処理部１５０から、ＨＤＭＩレシーバ１３０を経由して、ＨＤＭＩ端子１９２へ音声信号が出力されてもよい。すなわち、ＨＤＭＩレシーバ１３０が、音声処理部１５０から受信した音声信号をそのままＨＤＭＩ端子１９２に出力する構成としてもよい。また、図４の構成例では、ＨＤＭＩレシーバ１３０の出力先は音声処理部１５０であるが、ＨＤＭＩレシーバ１３０の出力先がＨＤＭＩ端子１９２であってもよい。この場合、ＨＤＭＩレシーバ１３０の出力と、音声処理部１５０の出力とが同時にＨＤＭＩ端子１９２に入力されることを防ぐために、ＨＤＭＩレシーバ１３０の出力と、音声処理部１５０の出力とのいずれかが選択されてＨＤＭＩ端子１９２へ入力されるようにするための切替スイッチが設けられてもよい。映像処理部１４０および音声処理部１５０のそれぞれは、集積回路（ハードウェア）で実現されていてもよいし、プロセッサ、メモリ、等（ソフトウェア）で実現されていてもよい。
【００４６】
表示部１６０は、映像処理部１４０から出力された映像を表示するディスプレイである。
【００４７】
スピーカ１７０は、音声処理部１５０から出力された音声を出力する。
【００４８】
なお、メモリ１２０、表示部１６０、および受付部１８０の詳細は、図２を用いて説明したとおりであるので、省略する。
【００４９】
ＨＤＭＩ端子１９１は、ソース機器２００とＨＤＭＩケーブル５０１により接続され、ＨＤＭＩ端子１９２は、レシーバ機器３００とＨＤＭＩケーブル５０２により接続されている。ＨＤＭＩ端子１９１、１９２は、ソース機器２００およびレシーバ機器３００から出力される映像信号および音声信号が入力されるインターフェースである。また、ＨＤＭＩ端子１９１、１９２は、ソース機器２００およびレシーバ機器３００との間で、制御信号やＣＥＣコマンド、ＥＤＩＤ等の情報を、双方向通信可能なインターフェースである。
【００５０】
ＳＰＤＩＦ端子１９３は、デジタル形式の音声信号を出力するためのインターフェースであり、例えば、光デジタル音声端子、同軸デジタル音声端子、等により実現される。ＳＰＤＩＦ端子１９３は、ＰＣＭの音声フォーマット、ＤＤの音声フォーマット、等の音声フォーマットの音声信号を出力可能である。
【００５１】
［１−２．動作］
以上のように構成されたシンク機器１００について、その動作を以下に説明する。
【００５２】
シンク機器１００は、予め選択したＥＤＩＤをソース機器２００に取得させる制御を行う。以下、図５を用いてシンク機器１００の動作について説明する。
【００５３】
図５は、実施の形態１におけるシンク機器１００の一動作例を示すフローチャートである。
【００５４】
まず、制御部１１０は、レシーバフォーマット情報に基づき、メモリ１２０に記憶されている複数の音声フォーマット情報の中から、レシーバフォーマット情報に対応する１つの音声フォーマット情報を選択する（ステップＳ１００）。ステップＳ１００の詳細は後述する。なお、レシーバフォーマット情報とは、シンク機器１００に接続されたレシーバ機器３００が処理可能な音声フォーマットを示す情報である。
【００５５】
次に、制御部１１０は、ステップＳ１００において選択した音声フォーマット情報をソース機器２００に取得させる（ステップＳ２００）。具体的には、制御部１１０は、ソース機器２００から、ソース機器２００が出力すべき音声フォーマットを示す音声フォーマット情報の送信要求（シンク機器１００からソース機器２００へ送信する要求）を受信した場合、ＥＤＩＤ  ＲＯＭに記憶されている音声フォーマット情報をソース機器２００に送信する制御を行う。こうして、シンク機器１００は、適切な音声フォーマット情報をソース機器２００に取得させることができる。
【００５６】
次に、ステップＳ１００で行われる選択処理の詳細について、図６を用いて説明する。
【００５７】
図６は、実施の形態１におけるシンク機器１００で実行される選択処理の一動作例を示すフローチャートである。
【００５８】
まず、制御部１１０は、シンク機器１００に予め設定されている音声出力先設定が「ＡＭＰ出力」であるか否かを判定する（ステップＳ１０１）。
【００５９】
なお、「ＡＭＰ出力」とは、シンク機器１００の音声出力先がレシーバ機器３００に設定されていることを表す。
【００６０】
制御部１１０は、ステップＳ１０１において、シンク機器１００に予め設定されている音声出力先設定は「ＡＭＰ出力」であると判定した場合（ステップＳ１０１でＹｅｓ）、シンク機器１００に予め設定されている音声出力設定は「ＡＵＴＯ」であるか否かを判定する（ステップＳ１０２）。
【００６１】
「ＡＵＴＯ」とは、制御部１１０が、レシーバ機器３００で処理可能な音声フォーマットを、ユーザの指示によらず自動的に選択し、選択されたその音声フォーマットで音声信号を出力することを表す。
【００６２】
制御部１１０は、ステップＳ１０２において、シンク機器１００に予め設定されている音声出力設定は「ＡＵＴＯ」であると判定した場合（ステップＳ１０２でＹｅｓ）、ＨＤＭＩ端子１９１またはＨＤＭＩ端子１９２に、ＨＤＭＩケーブル５０１またはＨＤＭＩケーブル５０２によりレシーバ機器３００が接続されているか否かを判定する（ステップＳ１０３）。
【００６３】
制御部１１０は、ステップＳ１０３において、例えばＨＤＭＩ端子１９２にＨＤＭＩケーブル５０２によりレシーバ機器３００が接続されていると判定した場合（ステップＳ１０３でＹｅｓ）、レシーバ機器３００に、ＣＥＣコマンドによって、レシーバフォーマット情報を要求する（ステップＳ１０４）。レシーバフォーマット情報とは、レシーバ機器３００が処理可能な音声フォーマットを示す情報のことである。
【００６４】
制御部１１０は、ステップＳ１０４において要求したレシーバフォーマット情報を、レシーバ機器３００から受信したか否かを判定する（ステップＳ１０５）。
【００６５】
制御部１１０は、ステップＳ１０５において、レシーバフォーマット情報をレシーバ機器３００から受信したと判定した場合（ステップＳ１０５でＹｅｓ）、受信したレシーバフォーマット情報に対応するＥＤＩＤを、メモリ１２０に記憶されている複数の音声フォーマット情報（ＥＤＩＤ）の中から選択する（ステップＳ１０６）。この動作が、第一の選択である。
【００６６】
制御部１１０は、ステップＳ１０２において、シンク機器１００に予め設定されている音声出力設定は「ＡＵＴＯ」ではないと判定した場合（ステップＳ１０２でＮｏ）、ユーザにより予め設定されたＥＤＩＤを選択するように動作する。この動作が、第二の選択である。この詳細は後述する。制御部１１０は、ステップＳ１０２でＮｏと判定した場合、ユーザ設定に基づく音声出力設定は「ＰＣＭ」であるか否かを判定する（ステップＳ１０７）。
【００６７】
制御部１１０は、ステップＳ１０７において、ユーザ設定に基づく音声出力設定は「ＰＣＭ」ではないと判定した場合（ステップＳ１０７でＮｏ）、ユーザ設定に基づく音声出力設定は「ＤＤ」であるか否かを判定する（ステップＳ１０８）。
【００６８】
制御部１１０は、ステップＳ１０８において、ユーザ設定に基づく音声出力設定は「ＤＤ」であると判定した場合（ステップＳ１０８でＹｅｓ）、処理をステップＳ１０９に進める。また、制御部１１０は、ステップＳ１０３において、ＨＤＭＩ端子１９１、１９２のいずれにもレシーバ機器３００は接続されていないと判定した場合（ステップＳ１０３でＮｏ）、および、ステップＳ１０５において、レシーバフォーマット情報をレシーバ機器３００から受信していないと判定した場合（ステップＳ１０５でＮｏ）も、処理をステップＳ１０９に進める。
【００６９】
制御部１１０は、ＰＣＭ＆ＤＤの音声フォーマットを示すＥＤＩＤを、メモリ１２０に記憶されている複数の音声フォーマット情報（ＥＤＩＤ）の中から選択する（ステップＳ１０９）。
【００７０】
制御部１１０は、ステップＳ１０８において、ユーザ設定に基づく音声出力設定は「ＤＤ」ではないと判定した場合（ステップＳ１０８でＮｏ）、ＰＣＭ＆ＤＤ＆Ａｔｍｏｓの音声フォーマットを示すＥＤＩＤを、メモリ１２０に記憶されている複数の音声フォーマット情報（ＥＤＩＤ）の中から選択する（ステップＳ１１０）。
【００７１】
制御部１１０は、ステップＳ１０７において、ユーザ設定に基づく音声出力設定は「ＰＣＭ」であると判定した場合（ステップＳ１０７でＹｅｓ）、処理をステップＳ１１１に進める。また、制御部１１０は、ステップＳ１０１において、シンク機器１００に予め設定されている音声出力先設定は「ＡＭＰ出力」ではないと判定した場合（ステップＳ１０１でＮｏ）も、処理をステップＳ１１１に進める。
【００７２】
制御部１１０は、ＰＣＭの音声フォーマットを示すＥＤＩＤを、メモリ１２０に記憶されている複数の音声フォーマット情報（ＥＤＩＤ）の中から選択する（ステップＳ１１１）。
【００７３】
以上のようにして、制御部１１０は、メモリ１２０に記憶されている複数の音声フォーマット情報（ＥＤＩＤ）の中から１つの音声フォーマット情報（ＥＤＩＤ）を選択する選択処理を実行する。
【００７４】
制御部１１０は、ステップＳ１０６、またはステップＳ１０９、またはステップＳ１１０、またはステップＳ１１１で選択した音声フォーマット情報（ＥＤＩＤ）を、ＥＤＩＤ  ＲＯＭ（図示せず）に記憶させる。そして、制御部１１０は、上述したように、ステップＳ２００において、ＥＤＩＤ  ＲＯＭに記憶されている音声フォーマット情報（ＥＤＩＤ）をソース機器２００に送信する。このようにして、シンク機器１００は、適切な音声フォーマット情報（ＥＤＩＤ）をソース機器２００に取得させることができる。
【００７５】
図６のフローチャートを用いて説明したように、制御部１１０は、ステップＳ１０２において、音声出力設定は「ＡＵＴＯ」ではないと判定した場合（ステップＳ１０２でＮｏ）、ユーザにより予め設定されたＥＤＩＤを選択する。以下、ユーザが音声フォーマットを選択できるようにシンク機器１００の表示部１６０に表示されるＵＩ画面について、図７を用いて説明する。
【００７６】
図７は、実施の形態１におけるシンク機器１００で表示されるＵＩ（Ｕｓｅｒ  Ｉｎｔｅｒｆａｃｅ）画面の一例を示す図である。
【００７７】
シンク機器１００は、ユーザが、所定の操作をリモコン等の入力機器を用いて行ったときに、図７に例示するようなユーザによる音声出力設定が可能なＵＩ画面１６１を、表示部１６０に表示させることができる。
【００７８】
本実施の形態において、ＵＩ画面１６１は、ユーザが、所定の複数の音声フォーマットの中から任意の１つをプルダウンにより選択することができるように構成された画面である。
【００７９】
受付部１８０は、ユーザが、例えばリモコンの十字キー等を操作することにより、複数の音声フォーマットのそれぞれに対応するプルダウンの中の複数の選択肢（対応情報）から任意の一つを選択する動作を受け付ける。そして、受付部１８０は、ユーザが、リモコンの決定キーを押す等して、ユーザに選択された選択肢を決定する動作を受け付ける。こうして決定された音声フォーマットに関する情報は、受付部１８０から制御部１１０に出力される。
【００８０】
こうして、シンク機器１００では、音声出力設定が、ユーザにより選択された音声フォーマットに設定される。例えば図７に示した例では、ユーザは、「ＡＵＴＯ」、「ＰＣＭ（ＰＣＭのみ）」、「ＤＤ（ＤＤとＰＣＭ）」、および「Ａｔｍｏｓ（Ａｔｍｏｓ、ＤＤ＋およびＰＣＭ）」のうちのいずれかの設定を選択することができる。なお、図７に示す選択肢は、単なる一例であり、本開示は何らこれらに限定されない。
【００８１】
なお、図６に示したフローチャートは、図７に示したＵＩ画面１６１に基づくものである。したがって、ＵＩ画面１６１に表示される、ユーザが選択可能な選択肢が、上述の選択肢とは異なる場合は、その選択肢に応じて、図６に示したフローチャートが変更されてもよい。
【００８２】
なお、シンク機器１００では、ユーザによる設定が行われる前の、音声出力設定の初期（デフォルト）設定として、例えばＰＣＭの音声フォーマットが設定されてもよい。
【００８３】
［１−３．効果等］
以上のように、本実施の形態において、シンク機器は、ソース機器と双方向通信可能に接続されたシンク機器である。シンク機器は、第一メモリと、制御部と、を備える。第一メモリは、シンク機器が処理可能な音声フォーマットを示す情報を含む複数の音声フォーマット情報を記憶している。制御部は、第一メモリに記憶されている複数の音声フォーマット情報の中から、シンク機器に接続されたレシーバ機器が処理可能な音声フォーマットを示すレシーバフォーマット情報に対応する１つの音声フォーマット情報を選択する。そして、制御部は、選択した音声フォーマット情報をソース機器に出力する。
【００８４】
なお、シンク機器１００はシンク機器の一例である。ソース機器２００はソース機器の一例である。メモリ１２０は第一メモリの一例である。制御部１１０は制御部の一例である。レシーバ機器３００はレシーバ機器の一例である。音声フォーマットリスト１２１は、第一メモリが記憶している複数の音声フォーマット情報の一例であり、ＵＩ画面１６１に表示される複数の音声フォーマット情報は、第一メモリが記憶している複数の音声フォーマット情報の一例である。
【００８５】
例えば、実施の形態１に示した構成例では、シンク機器１００は、ソース機器２００と双方向通信可能に接続されており、メモリ１２０と、制御部１１０と、を備える。メモリ１２０は、シンク機器１００が処理可能な音声フォーマットを示す情報を含む複数の音声フォーマット情報を記憶している。制御部１１０は、メモリ１２０に記憶されている複数の音声フォーマット情報の中から、シンク機器１００に接続されたレシーバ機器３００が処理可能な音声フォーマットを示すレシーバフォーマット情報に基づいて、１つの音声フォーマット情報を選択する。そして、制御部１１０は、選択した音声フォーマット情報をソース機器２００に出力し、それをソース機器２００に取得させる。
【００８６】
例えば、レシーバ機器３００が、レシーバ機器３００で対応している音声フォーマット情報の送信要求（レシーバ機器３００からシンク機器１００へ送信する要求）をシンク機器１００から受信したときに、当該要求に応じた音声フォーマット情報をシンク機器１００に送信する機能を有していないレシーバ機器（以下、「非対応機器」という）であったとする。そのような場合、シンク機器１００は、レシーバ機器３００から適切な音声フォーマット情報を取得することは困難である。従来技術では、このような場合、シンク機器が、適切な音声フォーマット情報をソース機器に取得させることは難しい。しかし、本実施の形態に示すシンク機器１００は、メモリ１２０に記憶されている複数の音声フォーマット情報からレシーバフォーマット情報に基づいて選択された音声フォーマット情報をソース機器２００に取得させることができる。これにより、ソース機器２００は、シンク機器１００から取得した音声フォーマット情報に基づく音声フォーマットで音声信号をシンク機器１００に送信することが可能になる。また、レシーバ機器３００が、シンク機器１００と、双方向通信可能なＨＤＭＩケーブルではなく、一方向通信のみ可能なＳＰＤＩＦ１９３により接続されている場合も、シンク機器１００はレシーバ機器３００から適切な音声フォーマット情報を取得することは困難である。しかし、そのような場合であっても、シンク機器１００は、メモリ１２０に記憶されている複数の音声フォーマット情報からレシーバフォーマット情報に基づいて選択した音声フォーマット情報をソース機器２００に取得させることができる。したがって、シンク機器１００は、適切な音声フォーマット情報をソース機器２００に取得させることができる。
【００８７】
シンク機器が有する制御部は、レシーバ機器に、レシーバフォーマット情報の送信を要求してもよい。そして、制御部は、レシーバ機器からレシーバフォーマット情報を取得した場合、第一メモリに記憶されている複数の音声フォーマット情報の中から、取得したレシーバフォーマット情報に対応する音声フォーマット情報を選択する第一の選択を行ってもよい。
【００８８】
例えば、実施の形態１に示した構成例では、制御部１１０は、レシーバ機器３００に、レシーバフォーマット情報の送信を要求する。そして、制御部１１０は、レシーバ機器３００から送信されたレシーバフォーマット情報を取得した場合、メモリ１２０に記憶されている複数の音声フォーマット情報の中から、取得したレシーバフォーマット情報に対応する音声フォーマット情報を選択する第一の選択を行う。
【００８９】
例えば、レシーバ機器３００が、レシーバ機器３００で対応している音声フォーマット情報の送信要求（レシーバ機器３００からシンク機器１００へ送信する要求）をシンク機器１００から受信したときに、当該要求に応じた音声フォーマット情報をシンク機器１００に送信する機能を有しているレシーバ機器（以下、「対応機器」という）であったとする。そのような場合、制御部１１０は、取得したレシーバフォーマット情報に対応する音声フォーマット情報を選択することができる。したがって、シンク機器１００は、レシーバ機器３００から取得したレシーバフォーマット情報に基づく適切な音声フォーマット情報をソース機器２００に取得させることができる。
【００９０】
シンク機器は、表示部と、受付部と、をさらに備えてもよい。表示部は、第一メモリに記憶されている複数の音声フォーマット情報のそれぞれに対応している複数の対応情報のうちの１つの対応情報をユーザが選択可能な画面を表示してもよい。受付部は、表示部に表示された複数の対応情報のうちの１つの対応情報が選択されたことを示す入力を受け付けてもよい。制御部は、第一メモリに記憶されている複数の音声フォーマット情報の中から、当該入力により示される１つの対応情報に対応する音声フォーマット情報を選択する第二の選択を行ってもよい。
【００９１】
あるいは、制御部は、レシーバ機器からレシーバフォーマット情報を取得しなかった場合に第二の選択を行ってもよい。
【００９２】
なお、表示部１６０は表示部の一例である。受付部１８０は受付部の一例である。ＵＩ画面１６１は、表示部に表示される、ユーザが対応情報を選択可能な画面の一例である。
【００９３】
例えば、実施の形態１に示した構成例では、シンク機器１００は、表示部１６０と、受付部１８０と、をさらに備える。表示部１６０は、メモリ１２０に記憶されている複数の音声フォーマット情報のそれぞれに対応している複数の対応情報のうちの１つの対応情報をユーザが選択可能なＵＩ画面１６１を表示する。受付部１８０は、表示部１６０に表示された複数の対応情報のうちの１つの対応情報が選択されたことを示す入力を受け付ける。そして、制御部１１０は、レシーバ機器３００からレシーバフォーマット情報を取得しなかった場合、メモリ１２０に記憶されている複数の音声フォーマット情報の中から、受付部１８０により受け付けられた入力により示される１つの対応情報に対応する音声フォーマット情報を選択する第二の選択を行う。
【００９４】
これにより、レシーバ機器３００が非対応機器であったり、あるいはレシーバ機器３００がシンク機器１００からレシーバ機器３００への一方向通信のみ可能なインターフェースでシンク機器１００に接続されていたりして、シンク機器１００がレシーバ機器３００からレシーバフォーマット情報を取得できない場合であっても、シンク機器１００は、メモリ１２０に記憶されている複数の音声フォーマット情報からユーザにより選択された音声フォーマット情報をソース機器２００に取得させることができる。
【００９５】
シンク機器は、制御部により選択された音声フォーマット情報を記憶する第二メモリをさらに備えてもよい。制御部は、ソース機器から、ソース機器が出力すべき音声フォーマットを示す音声フォーマット情報の取得要求を受信した場合、第二メモリに記憶されている音声フォーマット情報をソース機器に取得させてもよい。
【００９６】
なお、メモリ１２０またはＥＤＩＤ  ＲＯＭ（図示せず）は第二メモリの一例である。
【００９７】
例えば、実施の形態１に示した構成例では、シンク機器１００において、制御部１１０は、制御部１１０が選択した音声フォーマット情報をメモリ１２０またはＥＤＩＤ  ＲＯＭに記憶させる。そして、制御部１１０は、ソース機器２００から、ソース機器２００が出力すべき音声フォーマットを示す音声フォーマット情報の取得要求を受信した場合、メモリ１２０またはＥＤＩＤ  ＲＯＭに記憶されている音声フォーマット情報（ＥＤＩＤ）を読み出してソース機器２００に出力し、それをソース機器２００に取得させる。
【００９８】
この構成例では、ソース機器２００が、出力すべき音声フォーマットを示す音声フォーマット情報の取得をシンク機器１００に対して要求（ソース機器２００がシンク機器１００から取得する要求）したときに、シンク機器１００の制御部１１０は、ＥＤＩＤ  ＲＯＭに記憶させた音声フォーマット情報を読み出して、それをソース機器２００に送信すればよい。したがって、シンク機器１００は、制御部１１０が選択した音声フォーマット情報をソース機器２００に取得させることが容易にできる。
【００９９】
［１−４．変形例］
実施の形態１では、制御部１１０が、選択処理のステップＳ１０５でＮｏと判定した場合に、ステップＳ１０９を実行し、ＰＣＭ＆ＤＤの音声フォーマットを示すＥＤＩＤを選択する動作例を説明した。しかし、本開示は何らこの動作に限定されない。例えば、制御部１１０は、ステップＳ１０５において、レシーバフォーマット情報をレシーバ機器３００から受信していないと判定した場合（ステップＳ１０５でＮｏ）に、処理をステップＳ１０７に進めてステップＳ１０７を実行し、ユーザにより予め選択されたＥＤＩＤを選択する動作、すなわち第二の選択、を行ってもよい（図示せず）。このような動作を制御部１１０が行う場合に、ユーザが音声フォーマットを選択できるようにシンク機器１００の表示部１６０に表示されるＵＩ画面について、図８を用いて説明する。
【０１００】
図８は、実施の形態１の変形例におけるシンク機器１００で表示されるＵＩ（Ｕｓｅｒ  Ｉｎｔｅｒｆａｃｅ）画面の一例を模式的に示す図である。
【０１０１】
シンク機器１００は、ユーザが、所定の操作をリモコン等の入力機器を用いて行ったときに、図８に例示するようなユーザによる音声出力設定が可能なＵＩ画面１６２、１６３を、表示部１６０に表示させてもよい。
【０１０２】
本変形例では、ＵＩ画面１６２は、ユーザが、音声出力設定を「ＡＵＴＯ  ＯＮ」（ステップＳ１０２でＹｅｓと判定される設定）にするか、「ＡＵＴＯ  ＯＦＦ」（ステップＳ１０２でＮｏと判定される設定）にするかをプルダウンにより選択することができるように構成された画面である。また、ＵＩ画面１６３は、ユーザが、所定の複数の音声フォーマットの中から任意の１つをプルダウンにより選択することができるように構成された画面である。
【０１０３】
受付部１８０は、ユーザが、例えばリモコンの十字キー等を操作することにより、音声出力設定を「ＡＵＴＯ  ＯＮ」にするか「ＡＵＴＯ  ＯＦＦ」にするかをプルダウン中の選択肢から選択する動作、および、複数の音声フォーマットのそれぞれに対応するプルダウンの中の複数の選択肢（対応情報）から任意の一つを選択する動作、を受け付ける。そして、受付部１８０は、ユーザが、リモコンの決定キーを押す等して、ユーザに選択された選択肢を決定する動作を受け付ける。こうして決定された音声フォーマットに関する情報は、受付部１８０から制御部１１０に出力される。
【０１０４】
こうして、本変形例におけるシンク機器１００では、音声出力設定が、ユーザにより選択された音声フォーマットに設定される。例えば、図８に示した例では、ユーザは、音声出力設定として「ＡＵＴＯ  ＯＮ」または「ＡＵＴＯ  ＯＦＦ」を選択でき、また、音声フォーマットとして「ＰＣＭ（ＰＣＭのみ）」、「ＤＤ（ＤＤとＰＣＭ）」、「ＤＤ＋（ＤＤ＋、ＤＤおよびＰＣＭ）」および「Ａｔｍｏｓ（Ａｔｍｏｓ、ＤＤ＋、ＤＤおよびＰＣＭ）」のうちのいずれかを選択することができる。なお、ＵＩ画面１６３は、表示部に表示される、ユーザが対応情報を選択可能な画面の一例である。また、図８に示す選択肢は、単なる一例であり、本開示は何らこれらに限定されない。
【０１０５】
また、実施の形態１では、制御部１１０は、選択処理においてステップＳ１０３〜ステップＳ１０６の処理を行うことにより、レシーバ機器３００がＨＤＭＩ  ＣＥＣのコマンドに対応しているか否かを判定し、当該コマンドに対応していると判定した場合、レシーバ機器３００から受信したレシーバフォーマット情報に対応するＥＤＩＤを、メモリ１２０に記憶されている複数の音声フォーマット情報（ＥＤＩＤ）の中から選択する動作例を説明した。しかし、本開示は何らこの動作に限定されない。例えば、制御部１１０は、ステップＳ１０３〜ステップＳ１０６の処理を行わなくてもよい。つまり、シンク機器１００は、ユーザにより予め選択されたＥＤＩＤをソース機器２００に取得させる制御を行ってもよい。
【０１０６】
（他の実施の形態）
以上のように、本出願において開示する技術の例示として、実施の形態１を説明した。そのために、添付図面および詳細な説明を提供した。しかしながら、本開示における技術は、これに限定されず、変更、置き換え、付加、省略等を行った実施の形態にも適用できる。また、上記実施の形態１で説明した各構成要素を組み合わせて、新たな実施の形態とすることも可能である。
【０１０７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０８】
また、上述の実施の形態は、本開示における技術を例示するためのものであるから、特許請求の範囲またはその均等の範囲において種々の変更、置き換え、付加、省略などを行うことができる。
【産業上の利用可能性】
【０１０９】
本開示は、ソース機器に適切な音声フォーマット情報を取得させることができるシンク機器等に適用可能である。具体的には、テレビジョン受像機、または音声を出力するスピーカを有するモニタ等に、本開示は適用可能である。
【符号の説明】
【０１１０】
１    ＡＶシステム
１００    シンク機器
１１０    制御部
１１１    マイコン部
１１２    ＣＥＣ処理部
１１３    ＥＤＩＤ制御部
１２０    メモリ
１２１    音声フォーマットリスト
１３０    ＨＤＭＩレシーバ
１４０    映像処理部
１５０    音声処理部
１６０    表示部
１６１，１６２，１６３    ＵＩ画面
１７０    スピーカ
１８０    受付部
１９１，１９２    ＨＤＭＩ端子
１９３    ＳＰＤＩＦ端子
２００    ソース機器
３００    レシーバ機器
４００    スピーカ
５０１，５０２    ＨＤＭＩケーブル
５０３    スピーカケーブル
【図１】
2016136257.tif 000003
【図２】
2016136257.tif 000004
【図３】
2016136257.tif 000005
【図４】
2016136257.tif 000006
【図５】
2016136257.tif 000007
【図６】
2016136257.tif 000008
【図７】
2016136257.tif 000009
【図８】
2016136257.tif 000010
【国際調査報告】
2016136257.tif 000011
2016136257.tif 000012
2016136257.tif 000013